(57)【要約】【課題】リールを回転駆動する駆動手段による電力の著しい消耗や、これによる遊技機の耐久性に対する悪影響を防止する。【解決手段】リールの回転開始から１分を経過しても停止操作を行わないときは、各サブリールは、５秒間一時停止して５秒間で１駒変動する動作を繰返す。一時停止の際には、サブリールのリール表示窓部にはハズレの出目が表示される。停止操作を行わないままリールの回転開始から３分を経過すると、リール表示窓部にはハズレの出目が表示されてサブリールは自動停止する。【選択図】図３６
2009195366.tif 000002
【特許請求の範囲】
【請求項１】
複数の図柄が表面にそれぞれ表示されている複数のリールと、
前記リールを回転駆動する駆動手段と、
停止操作の検出を行う停止操作検出手段と、
前記所定の開始条件が成立すると前記駆動手段に前記リールの回転駆動を開始させ、前記停止操作検出手段により前記停止操作の検出がなされると前記リールの回転駆動を停止させる制御を行う図柄表示制御手段と、
前記所定の開始条件が成立からリールが回転を継続している継続時間を計測する遊技継続時間計測手段と、
前記遊技継続時間計測手段により計測された継続時間が所定の時間となったか否かを判定する時間判定手段と、
を備え、
前記図柄表示制御手段は、前記時間判定手段によって前記遊技継続時間計測手段により計測された継続時間が所定の時間となったと判定されたときは、前記駆動手段の駆動力を第１の時間の間停止させ、記第１の時間の経過後の第２の時間の間前記駆動手段により全ての前記リールを回転駆動する動作を繰り返す制御を行う、
ことを特徴とする遊技機。
【請求項２】
前記図柄表示制御手段は、前記駆動手段の駆動力を第１の時間の間停止させることにより前記リールが停止するときは、当該各リールは遊技者に利益を付与する内部当籤役に対応する所定の図柄の組み合わせ以外の前記図柄の組み合わせを前記各リールに表示させるように停止する、ことを特徴とする請求項１に記載の遊技機。
【発明の詳細な説明】
【技術分野】
【０００１】
本発明は、パチスロ機などの遊技機に関する。
【背景技術】
【０００２】
従来、複数の図柄が夫々の周面に配された複数のリールと、これら各リールに対応するように複数設けられ、前記各リールの周面に配された複数の図柄のうちの一部の図柄を遊技者が視認可能なように表示する表示窓と、メダルが投入されたことを条件に、遊技者による操作（以下、「開始操作」という）に基づいて、リールの回転の開始を要求する信号を出力するスタートスイッチと、遊技者による操作（以下、「停止操作」という）に基づいて、リールの回転の停止を要求する信号をリールの種別に応じて出力するストップスイッチと、これらスタートスイッチ及びストップスイッチにより出力された信号に基づいて、モータの動作を制御し、各リールの回転及びその停止を行う制御部と、を備えた遊技機（いわゆるパチスロ）が知られている。このようなパチスロでは、前記複数の表示窓により表示される図柄の組合せに基づいて、入賞か否かが判別され、入賞と判別されるとメダルが払い出される。
【０００３】
現在、主流のパチスロは、遊技者による開始操作を検出すると、内部的な抽籤を行い、この抽籤の結果と遊技者による停止操作のタイミングとに基づいて、リールの回転を停止するものである。例えば、前述した内部的な抽籤により入賞に係る結果（以下、この内部的な抽籤の結果を「内部当籤役」という）が決定されると、当該入賞が成立するように、遊技者により停止操作が行われた後であってもリールの回転が所定の期間（例えば、１９０ｍｓ）以内で継続し、その後、停止するようになっている。また、入賞に係る内部当籤役が決定されていなければ、入賞が成立しないようにリールの回転が停止するようになっている。つまり、このような遊技機では多くの局面において適切なタイミングでの停止操作（いわゆる「目押し」）が要求され、リールの回転が停止したときに表示窓により如何なる図柄の組合せが表示されるかは、停止操作のタイミング、即ち遊技者の技量に関連する。
【０００４】
また、特許文献１には、開始操作によりリールが回転して後、遊技者が所定時間の間に停止操作を行わなかったときはリールを自動的に停止させる、いわゆる自動停止を行なう遊技機について開示されている。
【特許文献１】特開平２００４‐２９０３５３号公報
【発明の開示】
【発明が解決しようとする課題】
【０００５】
しかしながら、自動停止によりリールを自動的に停止させる場合においても、遊技者が停止操作を行ってリールを停止させる場合に比べると、リールを回転駆動するモータを長時間駆動し続けなければならないので、モータの駆動電力を著しく消耗し、また、モータの発する熱により遊技機の耐久性にも影響を与えてしまうという不具合がある。
【０００６】
さらに、近年は自動停止を設けず、遊技者が停止操作を行なわないと何時までもリールが回転し続ける遊技機も登場しており、このような遊技機においては、モータの駆動電力の著しい消耗、遊技機の耐久性への悪影響がさらに大きいという不具合がある。
【０００７】
本発明は、リールを回転駆動する駆動手段による電力の著しい消耗や、これによる遊技機の耐久性に対する悪影響を防止することができる遊技機を提供することである。
【課題を解決するための手段】
【０００８】
（１）本発明は、複数の図柄が表面にそれぞれ表示されている複数のリールと、前記リールを回転駆動する駆動手段と、停止操作の検出を行う停止操作検出手段と、前記所定の開始条件が成立すると前記駆動手段に前記リールの回転駆動を開始させ、前記停止操作検出手段により前記停止操作の検出がなされると前記リールの回転駆動を停止させる制御を行う図柄表示制御手段と、前記所定の開始条件が成立からリールが回転を継続している継続時間を計測する遊技継続時間計測手段と、前記遊技継続時間計測手段により計測された継続時間が所定の時間となったか否かを判定する時間判定手段と、を備え、前記図柄表示制御手段は、前記時間判定手段によって前記遊技継続時間計測手段により計測された継続時間が所定の時間となったと判定されたときは、前記駆動手段の駆動力を第１の時間の間停止させ、記第１の時間の経過後の第２の時間の間前記駆動手段により全ての前記リールを回転駆動する動作を繰り返す制御を行う、ことを特徴とする遊技機である。
【０００９】
（２）この場合に、前記図柄表示制御手段は、前記駆動手段の駆動力を第１の時間の間停止させることにより前記リールが停止するときは、当該各リールは遊技者に利益を付与する内部当籤役に対応する所定の図柄の組み合わせ以外の前記図柄の組み合わせを前記各リールに表示させるように停止する、ことを特徴とするようにしてもよい。
【発明の効果】
【００１０】
（１）の発明によれば、所定の開始が成立してリールが回転開始してから当該回転を継続している継続時間が所定の時間に達しても遊技者による停止操作が行われずにリールが回転しているときは、第１の時間の間リールの駆動力を停止し、その後、第２の時間の間全てのリールを回転駆動する動作を繰り返す制御を行うので、その間に出現する第１の時間の間は駆動手段を休止することができ、駆動手段の電力を節減し、また、駆動手段の耐久性を向上させることができる。
【００１１】
（２）の発明によれば、駆動手段の駆動力を第１の時間の間停止させることによりリールが停止するときは、各リールは遊技者に利益を付与する内部当籤役に対応する所定の図柄の組み合わせ以外の図柄（ハズレ図柄）の組み合わせを各リールに表示させるように停止するので、早期に停止制御を行わないと不利益を蒙ることになるかのような印象を遊技者に与え、遊技者に早期の停止制御を促して、駆動手段の電力を節減し、また、駆動手段の耐久性を向上させることができる。
【発明を実施するための最良の形態】
【００１２】
以下、本発明の一実施の形態である遊技機の構成と動作について説明する。
【００１３】
［外観構成等について］
図１は、本実施の形態である遊技機１の外観を示す正面図である。遊技機１は、具体的にはパチスロ機の例である。この遊技機１は、コイン、メダル、遊技球又はトークンなどの他、遊技者に付与された、又は付与される遊技価値の情報を記憶したカード等の遊技媒体を用いて遊技する遊技機であるが、以下では遊技媒体としてメダルを用いるものとして説明する。
【００１４】
遊技機１のコントロールパネル中央部に設けられた枠の後方のキャビネット内部には、３個の小型のメインリール２，３，４が設けられている。以下では、メインリール２を左リール２、メインリール３を中リール３、メインリール４を右リール４とも称する。各メインリール２〜４は縦回転し、その外周面には複数種類の図柄を並べた図柄列が描かれている。また、メインリール２〜４の上方のキャビネット内部には、メインリール２〜４より大型のサブリール５，６，７が設けられている。各サブリール５〜７は縦回転し、その外周面には、演出表示用の複数種類の図柄を並べた図柄列が描かれている。
【００１５】
メインリール２〜４の前部には表示窓となるリール表示窓部３９が設けられており、このリール表示窓部３９を通して、各メインリール２〜４の外周面に描かれた図柄列を図柄３個分の範囲で視認することができる。また、サブリール５〜７の前部にはリール表示窓部５０が設けられており、このリール表示窓部５０に形成された表示窓５Ａ，６Ａ，７Ａを通して、各サブリール５〜７の外周面に描かれた図柄列を図柄３個分の範囲で視認することができる。
【００１６】
前記のメインリール２〜４及びサブリール５〜７は、いずれもリールドラムの外周にリール帯が貼られて構成されており、このリール帯に前記の図柄列が描かれている。また、前記のメインリール２〜４、及びサブリール５〜７を構成する各リールドラムの内部には、各リールドラムに貼られたリール帯に描かれた図柄を背後から照明する種々の色で発光するＬＥＤ（発光ダイオード）からなるリールバックランプ４７ａ，４７ｂ，４７ｃ、リールバックランプ４８ａ，４８ｂ，４８ｃがそれぞれ設けられている。
【００１７】
リール表示窓部３９の右方のコントロールパネルには、遊技者がメダルを投入するための投入口９が設けられている。ゲーム開始に先立って、遊技者が投入口９からメダルを投入すると、リール表示窓部３９上における図１において図示しない複数本の入賞ライン、および、リール表示窓部５０の表示窓５Ａ〜７Ａ上における図１において図示しない複数本の入賞ラインが、それぞれ有効化される。そして、有効化された入賞ライン（有効ライン）上に所定の図柄の組み合わせが揃うと、表示役が成立する。
【００１８】
表示窓５Ａ〜７Ａの左方のリール表示窓部５０には、上部から、ボーナスカウント表示部１０、メダル投入枚数表示ランプ（ベットランプ）１３〜１５、配当枚数表示部１６、貯留枚数表示部１７、及び遊技動作表示器１８〜２２が設けられている。ボーナスカウント表示部１０は、３桁の７セグメントＬＥＤからなり、ボーナスゲーム作動時に後述するＲＢ（レギュラーボーナス）遊技状態の残り入賞可能回数などをデジタル表示する。メダル投入枚数表示ランプ（ベットランプ）１３〜１５は、メダルの投入枚数に応じて点灯制御され、そのときのメダルの投入枚数を遊技者に知らせる。配当枚数表示部１６は、２桁の７セグメントＬＥＤからなり、入賞によるメダル払出枚数などを表示する。貯留枚数表示部１７は、３桁の７セグメントＬＥＤからなり、装置内部に現在クレジットされているメダル数を表示する。遊技動作表示器１８〜２２は、遊技状況に応じて点灯制御され、そのときの遊技状況を遊技者に知らせる。
【００１９】
また、表示窓５Ａ〜７Ａの右方のリール表示窓部５０には、上部から、遊技回数表示部２３、遊技状態示唆ランプ２４、スタートランプ２５、ＷＩＮランプ２６、及びインサートランプ２７が設けられている。遊技回数表示部２３は、３桁の７セグメントＬＥＤからなり、所定の残り遊技回数などをデジタル表示する。遊技状態示唆ランプ２４は、遊技状態示唆ランプ２４ａ及び遊技状態示唆ランプ２４ｂからなり、遊技状態に応じて点灯制御される。スタートランプ２５は、メインリール２〜４が作動可能なときに点滅する。ＷＩＮランプ２６は、ボーナスゲームの作動にかかる当籤役（内部当籤役）が決定されると点灯する。また、インサートランプ２７は、投入口９にメダルの投入が受付可能なときに点灯する。
【００２０】
リール表示窓部３９の左方のコントロールパネルには、１貯留メダル投入ボタン（１ベットボタン）３０、２貯留メダル投入ボタン（２ベットボタン）３１、及び３貯留メダル投入ボタン（マックスベットボタン）３２が設けられている。これら各貯留メダル投入ボタン３０〜３２は、貯留枚数表示部１７にメダル数が表示されてクレジットされているときに、１回のゲームに１枚〜３枚の当該メダルを投入口９へのメダル投入に代えて賭ける場合に使用される。
【００２１】
リール表示窓部３９が設けられたコントロールパネルの下方には、左側から、スタートレバー３３、停止ボタン（ストップボタン）３４，３５，３６、及び貯留メダル精算ボタン３７が設けられている。
【００２２】
スタートレバー３３は、単位遊技（１ゲーム）を開始させる開始操作を行うためのレバーであり、開始操作手段を構成している。すなわち、スタートレバー３３の操作によりメインリール２〜４及びサブリール５〜７の回転が一斉に開始する。すなわち、開始操作を契機として、メインリール２〜４により表示される図柄の変動が行われる。
【００２３】
左、中、右の各停止ボタン３４，３５，３６は、それぞれ左、中、右の各メインメインリール２，３，４に対応して配置され、また、それぞれサブリール５，６，７にも対応しており、各メインリール２〜４の回転が一定速度に達したときに操作が有効化され、遊技者の操作に応じて各メインリール２〜４及び各サブリール５〜７の回転を停止する停止操作を行う。各停止ボタン３４〜３６は、メインリール２〜４による複数列の図柄の変動をそれぞれ停止させる停止操作手段を構成している。ここで、全てのメインリール２〜４及びサブリール５〜７が回転しているときに最初に行われるリールの停止操作を第１停止操作、第１停止操作の次に行われる停止操作を第２停止操作、第２停止操作の次に行われる停止操作を第３停止操作という。また、最初のリールの停止を第１停止、２番目のリールの停止を第２停止、３番目のリールの停止を第３停止という。
【００２４】
また、貯留メダル精算ボタン３７は、装置内部にメダルをクレジットして遊技を行うか直接投入口９にメダルを投入して遊技を行うかを切り替えるとき、及び装置内部にクレジットされている全てのメダルを払い出して精算するときに使用される。
【００２５】
遊技機１の正面下部にはメダル受皿５２が設けられている。このメダル受皿５２は、メダル払出口５３から払い出しされるメダルを貯留するものである。メダル払出口５３の右方には、スピーカ５４が設けられている。また、遊技機１の正面上部の左右両側にも、一対のスピーカ９６，９６が設けられている。
【００２６】
遊技機１の筐体内部には、出玉率の設定値を設定するときに操作される図示しない設定ボタン、及び、出玉率の設定値を選択するときに操作される図示しないリセットボタンが設けられている。出玉率は、遊技機１に投入されたメダルの総枚数に対する払い出されたメダルの総枚数の割合を示すものである。本例では、設定値は設定１〜設定６の６段階用意されている。
【００２７】
ここで、「単位遊技（１ゲーム）」とは、遊技者のスタートレバー３３に対する操作に応じてメインリール２〜４が回転してから、遊技者の停止ボタン３４〜３６に対する操作に応じてメインリール２〜４の回転が停止し、このときに有効化された入賞ライン上に揃った図柄の組合せに応じたメダルの払い出しが行われるまでか、次回のゲームの開始が許可される（次回のゲームが始まる）前までのことである。
【００２８】
［ハードウェア構成について］
図２は、遊技機１の遊技処理動作を制御するメイン制御基板（主制御基板）６１の電気的な接続を示すブロック図であり、図３は、遊技機１の演出動作を制御するサブ制御基板（副制御基板）６２を中心とする制御系の電気的な接続を示すブロック図である。
【００２９】
図２に示すメイン制御基板６１における制御部はマイコン６３を主な構成要素とし、これに乱数サンプリングのための回路を加えて構成されている。マイコン６３は、予め設定されたプログラムに従って制御動作を行うＣＰＵ（メインＣＰＵ）６４と、各種プログラムや固定データを記憶しているプログラムＲＯＭ６５と、ＣＰＵ６４の作業エリアとなるバックアップ機能付き制御ＲＡＭ６６とを備えている。
【００３０】
ＣＰＵ６４には、基準クロックパルスを発生するクロックパルス発生回路６７と、当該基準クロックパルスを分周する分周器６８と、一定範囲の乱数を発生する乱数発生器６９と、当該発生した乱数の１つを特定するサンプリング回路７０とが接続されている。さらに、ＣＰＵ６４には、後述する各種周辺装置との間で信号を授受するＩ／Ｏポート（入出力ポート）７１が接続されている。
【００３１】
マイコン６３からの制御信号により動作が制御される主要なアクチュエータとしては、各メインリール２〜４を回転駆動するステッピングモータ４５、各種ランプ（ベットランプ１３〜１５、スタートランプ２５、ＷＩＮランプ２６、インサートランプ２７）、各種表示部（遊技動作表示器１８〜２２、貯留枚数表示部１７、ボーナスカウント表示部１０、遊技回数表示部２３、配当枚数表示部１６）、メダルを収納するホッパー７２などがある。これらはそれぞれモータ駆動回路７３、各ランプ駆動回路７４、各表示部駆動回路７５、ホッパー駆動回路７６によって駆動される。これら各駆動回路７３〜７６は、Ｉ／Ｏポート７１を介してＣＰＵ６４に接続されている。
【００３２】
また、マイコン６３が制御信号を生成するために必要な入力信号を発生する主な入力信号発生手段としては、投入口９から投入されたメダルを検出する投入メダルセンサ９Ｓ、スタートレバー３３の操作を検出するスタートスイッチ３３Ｓ、貯留メダル投入ボタン３０，３１，３２の操作を検出する貯留メダル投入スイッチ３０Ｓ，３１Ｓ，３２Ｓ、貯留メダル精算ボタン３７の操作を検出する貯留メダル精算スイッチ３７Ｓ、図示しない設定ボタンの操作を検出する設定スイッチ５６Ｓ、リセットボタンの操作を検出するリセットスイッチ５５Ｓがある。
【００３３】
スタートスイッチ３３Ｓは、投入口９にメダルが投入されてスタートレバー３３を操作することにより単位遊技の開始操作が行なわれたことを検出する開始操作検出手段を構成している。乱数発生器６９は、乱数を発生させる乱数発生手段を構成している。
【００３４】
さらに、上記の入力信号発生手段としては、各メインリール２〜４の内部に設けられたフォトセンサからの出力パルス信号を受けて各メインリール２〜４の回転位置を検出するリール位置検出回路７７がある。フォトセンサは各メインリール２〜４の駆動機構に含まれており、図２には示されていない。
【００３５】
リール位置検出回路７７は、メインリール２〜４の回転が開始された後、ステッピングモータ４５の各々に供給される駆動パルスの数を計数し、この計数値は制御ＲＡＭ６６の所定エリアに書き込まれる。従って、制御ＲＡＭ６６内には、各メインリール２〜４について、１回転の範囲内における回転位置に対応した計数値が、メインリールの回転位置を示すリールインデックスとして格納されている。また、前記のフォトセンサは各メインリール２〜４が１回転する毎にリセットパルスを発生する。このリセットパルスはリール位置検出回路７７を介してＣＰＵ６４に認識され、制御ＲＡＭ６６で計数されている駆動パルスの計数値が「０」にクリアされる。このクリア処理により、各図柄の移動表示と各ステッピングモーク４５の回転との間に生じるずれが、１回転毎に解消されている。
【００３６】
ここで、前述のメインリール２〜４の周面に配された各図柄には、リールの回転方向から順に、夫々を識別するための図柄位置「０」〜「１７」が規定されている。そして、図柄位置「０」に対応する図柄がセンターライン（より正確には、図１におけるリール表示窓部３９の中段の領域の中心部）に位置するように、リール位置検出回路７７によってリールインデックスが検出される構成となっている。例えば、リールインデックスの検出により図柄の数をカウントするＲＡＭ６６に格納されている図柄カウンタの値が「０」になる際に、図柄位置「０」に対応する図柄がセンターラインに位置することとなり、この結果、図柄カウンタと図柄位置とが対応付けられる。従って、図柄カウンタを参照することにより、センターラインに位置する図柄を特定することが可能となる。
【００３７】
停止ボタン３４〜３６が押されたときに対応するメインリール２〜４を停止させる信号を発生するリール停止信号回路７８、ホッパー７２から払い出されるメダル数を計数するメダル検出部７２Ｓ、図示しない払出完了信号発生回路は入力信号発生手段となる。これらもＩ／Ｏポート７１を介してＣＰＵ６４に接続されている。払出完了信号発生回路は、メダル検出部７２Ｓから入力した実際に払い出しのあったメダル計数値が、各表示部駆動回路７５から入力した計数信号で表される配当枚数データに達したときにメダル払い出しの完了を検知する信号を発生する。
【００３８】
リール停止信号回路７８は、変動中の図柄の停止操作の検出を行なう停止操作検出手段を構成している。また、ステッピングモータ４５、モータ駆動回路７３、リール位置検出回路７７、及びマイコン６３は、リール停止信号回路７８により行なわれる図柄の停止操作の検出に基づいて、メインリール２〜４により表示される図柄の中から決定された内部当籤役に応じた図柄を所定の図柄変動範囲内で変動表示させ、メインリール２〜４により表示される図柄の変動を停止制御する停止制御手段を構成している。また、ホッパー７２、メダル検出部７２Ｓ、ホッパー駆動回路７６、払出完了信号発生回路及びマイコン６３は、停止制御手段によりメインリール２〜４に停止表示された図柄の組み合わせに基づいて、遊技者にメダルを払い出す遊技媒体払出手段を構成している。
【００３９】
Ｉ／Ｏポート７１には、サブ制御部通信ポート７９が接続されており、マイコン６３はこのサブ制御部通信ポート７９を介してサブ制御基板６２へ信号を送出する。図３に示すサブ制御基板６２には、この信号をメインサブ中継基板９７及びサブ中継基板９８を介して受信するメイン制御部通信ポート８８が設けられている。サブ制御部通信ポート７９とメイン制御部通信ポート８８との間の通信は、サブ制御部通信ポート７９からメイン制御部通信ポート８８へ向かう一方向についてだけ行われる（メイン制御部通信ポート８８からサブ制御部通信ポート７９への制御信号の送信は行われない）。本実施の形態では、サブ制御部通信ボート７９からメイン制御部通信ポート８８へ送出される制御信号（コマンド）は、７ビット長でその制御種別が表されるコマンド種別と、最大２４ビット長でそのコマンドの内容が表されるパラメータとで構成されている。
【００４０】
サブ制御基板６２は、メイン制御基板６１から送信されるコマンドに基づいて所定の演出を行う。サブ制御基板６２における制御部はマイコン８１を主な構成要素として構成されている。マイコン８１も、メイン制御基板６１におけるマイコン６３と同様、予め設定されたプログラムに従って制御動作を行うＣＰＵ（サブＣＰＵ）８２と、各種制御プログラムや固定データを記憶しているＲＯＭ８３と、ＣＰＵ８２の作業エリアとなるバックアップ機能付き制御ＲＡＭ８４とを備えている。ＣＰＵ８２にも、基準クロックパルスを発生するクロックパルス発生回路８５と、当該基準クロックパルスを分周する分周器８６と、各アクチュエータとの間で信号を授受するＩ／Ｏポート８７とが接続されている。
【００４１】
ＣＰＵ８２は、遊技演出の統括制御処理を所定の処理手順に従って行う。この処理手順は、シーケンスプログラムとしてＲＯＭ８３に記憶されている。ＣＰＵ８２は、アドレスバスがアドレスバス切離回路８９、データバスがデータバス切離回路９０を介してＲＯＭ８３に接続されており、ＲＯＭ８３に記憶された情報を読み出すときには、先ず、ＲＯＭ８３のチップセレクト端子ＳにＩ／Ｏポート８７を介してＬレベル信号を出力し、続いて、各切離回路８９，９０の出力イネーブル端子ＥにもＩ／Ｏポート８７を介してＬレベル信号を出力する。
【００４２】
各切離回路８９，９０は、それぞれの出力イネーブル端子ＥにＨレベル信号が入力されているときには、データ出力端子がハイインピーダンス状態になり、ＣＰＵ８２とＲＯＭ８３との間は電気的に絶縁された状態になって、ＣＰＵ８２から各切離回路８９，９０の各データ入力端子に入力されるアドレスバスデータ、データバスデータは、各切離回路８９，９０のデータ出力端子から出力されない。しかし、各切離回路８９，９０は、それぞれの出力イネーブル端子ＥにＬレベル信号が入力されると、ＣＰＵ８２から各データ入力端子に入力されるアドレスバスデータ、データバスデータをそのままデータ出力端子から出力する。ＣＰＵ８２は、このデータ出力により、アドレスバス及びデータバスを介してＲＯＭ８３に対する情報読出アクセスが可能になる。
【００４３】
サブ中継基板９８には、サブリール制御部６２ａが接続されている。マイコン８１からの制御信号により動作が制御されるアクチュエータとしては、サブリール制御部６２ａにおけるサブリール５〜７をそれぞれ回転駆動するステッピングモータ１０１、メインリール２〜４に内蔵されたリールバックランプ４７ａ〜４７ｃ、サブリール５〜７に内蔵されたリールバックランプ４８ａ〜４８ｃ及び前述した遊技状態示唆ランプ２４がある。ステッピングモータ１０１は、それぞれモータ駆動回路１０３によって駆動される。また、リールバックランプ４７ａ〜４７ｃ及び遊技状態示唆ランプ２４の点灯は、Ｉ／Ｏポート８７に接続されたランプ駆動回路８９からの駆動信号によって制御される。また、リールバックランプ４８ａ〜４８ｃはランプ駆動回路１０７からの駆動信号によって制御される。ランプ駆動回路１０７はサブ中継基板９８に接続されており、ＣＰＵ８２からの指令に基づいて動作する。
【００４４】
マイコン８１が制御信号を生成するために必要な入力信号を発生する入力信号発生手段としては、サブリール５〜７に設けられたフォトセンサからの出力パルス信号を受けて、サブリール５〜７の回転位置を検出するリール位置検出回路１０５がある。このフォトセンサは、各サブリール５〜７の駆動機構に含まれており、図３には示されていない。
【００４５】
音源ＩＣ９１には、アドレスバス及びデータバスを介してＲＯＭ８３が接続されている。ＲＯＭ８３には、ＣＰＵ８２のシーケンスプログラムに加えて、音声データが記憶され、そのチップセレクト端子ＳがＩ／Ｏポート８７に接続されている。音源ＩＣ９１は、マイコン８１の制御の下、パワーアンプ９２の出力をＩ／Ｏポート８７、メイン制御部通信ポート８８及びサブ中継基板９８を介してスピーカ５４，９６，９６へ伝え、音声を出力させる。マイコン８１は、メインサブ中継基板９７、サブ中継基板９８及びメイン制御部通信ポート８８を介してメイン制御基板６１から入力される指示に従い、音源ＩＣ９１及びワーアンプ９２を制御し、メダル投入音、スタートレバー操作音、停止ボタン操作音、ボーナスゲーム中の遊技音などの効果音をスピーカ５４，９６，９６から出力させる。また、メイン制御基板６１から取り込んだ遊技状態及び内部当籤役の情報に基づいて選択した演出態様に基づく出音パターンで、スピーカ５４，９６，９６から出音させる。
【００４６】
音源ＩＣ９１は、Ｉ／Ｏポート８７に接続されたコントロール端子Ｃ、バス開放制御端子Ｚ、及びリセット端子Ｒを備えており、コントロール端子Ｃに入力される信号に従ってスピーカ５４，９６，９６から出音させる制御を行う。また、音源ＩＣ９１は、バス開放制御端子Ｚに入力される信号がＬレベルのときには、アドレスバス及びデータバスを有効化し、各バスを使ったＲＯＭ８３に対する読出情報アクセスを可能にする。しかし、バス開放制御端子Ｚに入力される信号がＨレベルのときには、アドレスバス及びデータバスをハイインピーダンス状態にし、音源ＩＣ９１とＲＯＭ８３との間の電気的接続を断ってＲＯＭ８３に対する情報読出アクセスを行えなくする。また、音源ＩＣ９１は、リセット端子Ｒにハイレベル信号が入力されるのを検出すると、動作を開始する。
【００４７】
前述したアドレスバス切離回路８９、データバス切離回路９０及びＣＰＵ８２は、各切離回路８９，９０の出力イネーブル端子Ｋ、及び音源ＩＣ９１のバス開放制御端子Ｚに入力される信号を制御して、ＲＯＭ８３に対する情報読出アクセスをＣＰＵ８２又は音源ＩＣ９１のいずれか一方に規制して同時にアクセスさせないアクセス調整を行なうようにしている。つまり、ＲＯＭ８３に対する情報読出アクセスをＣＰＵ８２に行わせる場合には、このアクセス調停により、各切離回路８９，９０の出力イネーブル端子ＥにＬレベル信号が入力され、ＣＰＵ８２とＲＯＭ８３との間のアドレスバス及びデータバスが電気的に接続された状態にされると共に、音源ＩＣ９１のバス開放制御端子ＺにＨレベル信号が入力され、音源ＩＣ９１とＲＯＭ８３との間のアドレスバス及びデータバスによる電気的接続が断たれる。一方、ＲＯＭ８３に対する情報読出アクセスを音源ＩＣ９１に行わせる場合には、アクセス調停により、各切離回路８９，９０の出力イネーブル端子ＥにＨレベル信号が入力され、ＣＰＵ８２とＲＯＭ８３との間のアドレスバス及びデータバスによる電気的接続が断たれるとともに、音源ＩＣ９１のバス開放制御端子ＺにＬレベル信号が入力され、音源ＩＣ９１とＲＯＭ８３との間のアドレスバス及びデータバスが電気的に接続された状態にされる。
【００４８】
また、音源ＩＣ９１のバス開放制御端子Ｚ及びＲＯＭ８３のチップセレクト端子Ｓは、分断回路９３に接続されている。分断回路９３は、バス開放制御端子Ｚに入力される信号がＬレベルであり、かつ、チップセレクト端子Ｓに入力される信号もＬレベルのとき、ＣＰＵ８２が制御処理不能な状態に陥って暴走状態にあるものと判断し、アドレスバス切離回路８９及びデータバス切離回路９０のそれぞれの出力イネーブル端子ＥにＨレベル信号を出力し、ＣＰＵ８２とＲＯＭ８３との間のアドレスバス及びデータバスを電気的に絶縁された状態にする。この分断回路９３は、ＣＰＵ８２が制御処理不能な状態に陥ったときに、ＣＰＵ８２がＲＯＭ８３にアクセスする電気接続経路を分断する。
【００４９】
［主要な各種テーブル、各種格納領域について］
次に、主制御基板６１で使用する主要な各種テーブル、各種格納領域などについて説明する。これらのテーブルはプログラムＲＯＭ６５などに格納され、格納領域などは制御ＲＡＭ６６などに用意される。
【００５０】
図４を参照して、図柄配置テーブルについて説明する。
【００５１】
図柄配置テーブルは、各リールの周囲に配された図柄の構成をデータとして表したものである。図４はメインリール２，３，４に関する図柄配置テーブルである。図柄配置テーブルには、リールインデックスが検出されたときに、各図柄表示領域の中段に位置する図柄を図柄位置「０」として、前述の図柄カウンタと対応する図柄位置「０」〜「１８」と、各図柄位置に対応する図柄の種別とが規定されている。各図柄の種別は、１バイトのデータにより表される。従って、図柄配置テーブルと図柄カウンタとに基づいて、各リールの図柄表示領域の中段に位置する図柄や、これに隣接する図柄なども特定可能となる。このメインリール２，３，４に表示される図柄を特別図柄と称する。
【００５２】
メインリール２，３，４において、ある図柄の位置で遊技者が停止操作したときに最終的に停止制御位置となる図柄の位置は、ストップボタンを押下したときの図柄位置から３コマまでの範囲である。
【００５３】
次に、図５を参照して、主制御基板６１の内部抽籤テーブル決定テーブルについて説明する。
【００５４】
内部抽籤テーブル決定テーブルは、遊技状態に応じて後述の内部抽籤テーブルを決定するためのテーブルである。すなわち、一般遊技状態のときは一般遊技状態用内部抽籤テーブルが決定され、ＲＴ遊技状態のときはＲＴ遊技状態用内部抽籤テーブルが決定され、ＲＢ遊技状態のときはＲＢ遊技状態用内部抽籤テーブルが決定される。また、一般遊技状態、ＲＴ遊技状態にかかわらず、後述する持越役格納領域の値が１で持越役があるときは後述の抽籤回数を２０に決定し、持越役格納領域の値が０で持越役がないときは抽籤回数を２３に決定する。ＲＢ遊技状態のときは、常に抽籤回数は４に決定される。
【００５５】
次に、図６〜図８を参照して、主制御基板６１の内部抽籤テーブルについて説明する。
【００５６】
内部抽籤テーブルにおいては、当籤番号ごとに割り当てられた抽籤値及びデータポインタが規定されている。データポインタは、小役・リプレイ用のものとボーナス用のものの２種類が規定されている。
【００５７】
内部抽籤テーブルでは、前述の内部抽籤テーブル決定テーブル等に基づいて決定される抽籤回数と同じ数の当籤番号が最初に選択される。そして、「０〜６５５３５」の数値範囲（分母６５５３６）より抽出された乱数値から現在の当籤番号に対応している抽籤値を減算し、これにより桁かりが行われれば当該当籤番号に対応している小役・リプレイ用とボーナス用のデータポインタを選択する。桁かりが行われなければ現在の当籤番号に「１」を加算して、当該加算後の当籤番号に対応している抽籤値を減算後の値からさらに減算し、これにより桁かりが行われれば当該当籤番号に対応している小役・リプレイ用とボーナス用のデータポインタを選択する。桁かりが行われなければ現在の当籤番号に「１」を加算する。以下、同様の処理を桁かりが行われるか、後述の抽籤回数分の減算が行なわれるまで繰り返す。当籤番号がなくなっても桁かりが行われないときはハズレとなる。このように、内部抽籤テーブルは、小役・リプレイ用とボーナス用のデータポインタを決定するための抽籤を行うためのテーブルである。そして、小役・リプレイ用とボーナス用のデータポインタは、後述の内部当籤役決定テーブルによって当たり要求フラグを特定するためのデータであり、当たり要求フラグは内部当籤役を特定するためのデータである。
【００５８】
図６は、一般遊技状態において使用する一般遊技状態用内部抽籤テーブルを示す。図６は、前述の設定値が１の場合の内部抽籤テーブルであり、一般遊技状態でのメダルの投入枚数は３となる。一般遊技状態用内部抽籤テーブルでは、小役、リプレイの他、ＢＢ（ビッグボーナス）１，ＢＢ２，ＭＢ（ミドルボーナス）の抽籤も行う。
【００５９】
図７は、ＲＢ（レギュラーボーナス）遊技状態において使用するＲＢ遊技状態用内部抽籤テーブルを示す。図７は、前述の設定値につき全設定値共通の内部抽籤テーブルであり、ＲＢ遊技状態でのメダルの投入枚数は２となる。ＲＢ遊技状態用内部抽籤テーブルでは、後述の小役・リプレイ用内部当籤役決定テーブルに示すように、小役・リプレイ用データポインタ１〜４の小役に当籤する。
【００６０】
図８は、リプレイタイム（以下、「ＲＴ」と略記する）作動中用内部抽籤テーブルを示す。これは、ＲＴの作動中に使用する内部抽籤テーブルである。図８において、当籤番号１〜１６に関しては一般遊技状態用内部抽籤テーブルと共通であるため、図示を省略している。図８は、前述の設定値につき全設定値共通の内部抽籤テーブルであり、ＲＴ中でのメダルの投入枚数は３となる。一般遊技状態用内部抽籤テーブルでは当籤番号１７の抽籤値は「８０００」に規定されているのに対し、ＲＴ作動中用内部抽籤テーブルでは当籤番号１７の抽籤値はこれよりも相当大きい「４００００」に規定されている。即ち、ＲＴ作動中用内部抽籤テーブルでは、一般遊技状態用内部抽籤テーブルと比べて、当籤番号１７の小役・リプレイ用データポインタ５（後述のリプレイに内部当籤する場合である）の当籤確率が相当高い構成となっている。よって、ＲＴ作動中は、再遊技の作動に係るリプレイの当籤確率が非常に高くなるので、一般遊技状態中において同じ回数の単位遊技が行われる場合と比べて、メダルの消費を抑えることが可能となる。
【００６１】
次に、図９、図１０を参照して、主制御基板６１の内部当籤役決定テーブルについて説明する。
【００６２】
内部当籤役決定テーブルとしては、図９に示す小役・リプレイ用内部当籤役決定テーブルと、図１０に示すボーナス用内部当籤役決定テーブルとが用意されている。これらの内部当籤役決定テーブルでは、前述の小役・リプレイ用やボーナス用のデータポインタと、当たり要求フラグのデータとが関連付けて規定されている。当たり要求フラグは、内部当籤役を特定するための識別子である。
【００６３】
小役・リプレイ用内部当籤役決定テーブルにおいて、例えば、小役・リプレイ用データポインタが「１」のときは、角チェリーが内部当籤役となり、小役・リプレイ用データポインタが「５」のときは、再遊技の作動にかかるリプレイが内部当籤役となる。小役・リプレイ用データポインタが「０」のときは、何れの役にも内部当籤せず、「ハズレ」となる。
【００６４】
ボーナス用内部当籤役決定テーブルにおいては、ボーナス用データポインタの「３」、「２」にそれぞれ対応して「ＢＢ１」、「ＢＢ２」の２種類のＢＢと、ボーナス用データポインタの「１」に対応してＭＢがそれぞれ規定されている。ボーナス用データポインタの「０」は「ハズレ」であり、いずれのボーナスにも内部当籤しない。
【００６５】
次に、図１１を参照して、主制御基板６１の図柄組合せテーブルについて説明する。
【００６６】
図柄組合せテーブルでは、特典の付与に係る図柄の組合せと、これに対応する表示役と、格納領域種別及びメダルの払出枚数とが規定されている。表示役は、メインリール２，３，４の図柄が表示される図柄表示領域に表示される図柄の組合せの種別を識別するためのデータである。
【００６７】
左リール２にチェリー、中リール３にＡＮＹ（「ＡＮＹ」とはいかなる図柄でもよいことを示す。以下同様。）、右リール４にＡＮＹが表示されると、表示役が角チェリーと決定される。同じく、角チェリーに対応するメダルの払出枚数はメダルの投入枚数が２枚のときに１５枚、３枚のときに１枚である。左リール２にチェリー、中リール３にＡＮＹ、右リール４にＡＮＹが表示されると、表示役が中チェリーと決定される。中チェリーに対応するメダルの払出枚数はメダルの投入枚数が２枚のときに１５枚、３枚のときに２枚である。リール表示窓部３９にはメインリール２，３，４それぞれの上段、中段、下段に図柄が表示され、角チェリーと中チェリーの表示図柄の違いは、左リール２の図柄表示領域の上段又は下段にチェリーが表示されるのか、左リール２の図柄表示領域の中段にチェリーが表示されるのかという、チェリーの図柄の表示位置の違いにある。以下同様に、図柄組合せテーブルでは、特典の付与に係る図柄の組合せと、これに対応する表示役、格納領域種別及び払出枚数とが規定されている。例えば、「スイカ‐スイカ‐スイカ」が順次有効ラインに沿って表示されると、小役のスイカが表示役として決定される。なお、図１１において、メダルの払出枚数に「‐」と表示されているのは、そのようなメダルの払出枚数は出現し得ないことを意味している。
【００６８】
リプレイに入賞すると、次回のゲームにおいて再遊技が行われる。即ち、これらが表示役として決定されたゲームにおける投入枚数と同数のメダルが、次回のゲームにおいて、遊技者による投入操作に基づかずに、自動的に投入される。これにより、遊技者はメダルを消費することなく次回のゲームを行うことができる。
【００６９】
メインリール２，３，４の図柄が表示される図柄表示領域に「赤７‐赤７‐赤７」が順次有効ラインに沿って表示されると、表示役がＢＢ１と決定される。ＢＢ１が決定された場合には、ＢＢ１のボーナスゲームの作動が開始される。同様に、メインリール２，３，４の図柄が表示される図柄表示領域に「青７‐青７‐青７」が順次有効ラインに沿って表示されると、表示役がＢＢ２と決定される。ＢＢ２が決定された場合には、ＢＢ２のボーナスゲームの作動が開始される。同様に、メインリール２，３，４の図柄が表示される図柄表示領域に「ＢＡＲ‐ＢＡＲ‐ＢＡＲ」が順次有効ラインに沿って表示されると、表示役がＭＢと決定される。ＭＢが決定された場合には、ＭＢのボーナスゲームの作動が開始される。
【００７０】
なお、メインリール２，３，４の図柄表示領域に表示される図柄の組合せが前述の図柄組合せテーブルに規定された図柄の組合せの何れにも該当しない場合には、表示役がハズレと決定される。
【００７１】
次に、図１２を参照して、ボーナス作動時テーブルについて説明する。
【００７２】
ボーナス作動時テーブルには、ボーナスゲームの作動の開始時に、制御ＲＡＭ６６の所定領域に格納されるデータが規定されている。ＲＢの作動時には、後述の制御ＲＡＭ６６の作動中フラグ格納領域におけるＲＢ作動中フラグがオンされ、遊技可能回数カウンタに１２が格納され、入賞可能回数カウンタに８が格納される。遊技可能回数カウンタは、ＲＢ作動中において行われた単位遊技の回数を計数するためのデータである。入賞可能回数カウンタは、ＲＢ作動中において入賞が決定された（例えば、メダルの払い出しに係る表示役が決定された）回数を計数するためのデータである。また、ＢＢ１又はＢＢ２（両方を併せて単に「ＢＢ」という。以下同様。）の作動時には、後述の制御ＲＡＭ６６の作動中フラグ格納領域におけるＢＢ作動中フラグがオンされ、ボーナス終了枚数カウンタに３４５が格納される。ボーナス終了枚数カウンタは、ＢＢの作動中におけるメダルの払出枚数の総数を管理するためのカウンタである。
【００７３】
次に、図１３を参照して、主制御基板６１の制御ＲＡＭ６６の内部当籤役格納領域の構成について説明する。
【００７４】
内部当籤役格納領域は、図１３に示す内部当籤役格納領域１、内部当籤役格納領域２に分かれ、この内部当籤役格納領域１、内部当籤役格納領域２は、それぞれ前述の内部当籤役決定テーブルの当たり要求フラグのデータに対応している。内部当籤役が決定されると、当該内部当籤役を示すデータが内部当籤役格納領域に記憶される。
【００７５】
また、主制御基板６１の制御ＲＡＭ６６には、表示役のデータを格納する表示役格納領域も格納されている。この表示役格納領域の構成は図１３に示す内部当籤役格納領域と同様であり、同じく表示役格納領域１、表示役格納領域２に分かれている。
【００７６】
次に、図１４を参照して、主制御基板６１の制御ＲＡＭ６６の持越役格納領域の構成について説明する。
【００７７】
前述の内部当籤役決定テーブルによりボーナスゲームの作動に係る内部当籤役が決定されると、それを示す識別子（即ち、フラグ）が、この持越役格納領域に格納される。具体的に、ビット５、ビット６、ビット７の夫々は、ＭＢ、ＢＢ１、ＢＢ２の夫々に対応している。また、持越役格納領域に格納された識別子は、ボーナスゲームの作動が開始されることによりクリアされる。即ち、ボーナスゲームの作動に係る内部当籤役が決定されると、そのボーナスゲームの作動が開始されるまでの間、その識別子が記憶される構成となっている（いわゆる「持ち越し」と称され、格納されている識別子は「持越役」と称される）。そして、持越役格納領域に識別子が格納されている間は、抽出される乱数値にかかわらず、その格納されている識別子が内部当籤役として決定されるようになっている。また、持越役は、内部当籤役に基づいて決定されることから、内部当籤役の下位概念とも言える。
【００７８】
次に、図１５を参照して、主制御基板６１の制御ＲＡＭ６６の作動中フラグ格納領域の構成について説明する。
【００７９】
作動中フラグ格納領域には、現在作動中であるのが、ＢＢか、ＲＢか、ＲＴか等に応じて、その種別を示す識別子が格納される。具体的に、ビット０，４，５，６，７の夫々は、ＲＴ作動中フラグ，ＭＢ作動中フラグ、ＣＢ（チャレンジボーナス）作動中フラグ、ＲＢ作動中フラグ、ＢＢ作動中フラグの夫々に対応している。
【００８０】
［主制御基板の制御動作について］
次に、図１６以下に示すフローチャートを参照して、主制御基板６１のメインＣＰＵ６４が行う制御について説明する。
【００８１】
先ず、図１６、図１７を参照して、主制御基板６１のメインＣＰＵ６４により行われるメイン処理について説明する。メインＣＰＵ６４は、電源が投入され、リセット端子に電圧が印加されることにより、リセット割込を発生させ、そのリセット割込の発生に基づいて、プログラムＲＯＭ６５に記憶されたリセット割込処理を順次行うように構成されている。
【００８２】
電源が投入されると、初めに、メインＣＰＵ６４は、初期化処理を行う（ステップＳ１）。この処理では、電源遮断時に制御ＲＡＭ６６に格納されたレジスタのデータや実行アドレスの復帰を行う処理などが行われる。また、この初期化処理では、設定スイッチ５６Ｓの入力のチェックが行われ、設定スイッチ５６Ｓがオンであると判別した場合には、設定値の変更が行われる。具体的には、リセットスイッチ５５Ｓ及びスタートスイッチ３３Ｓの人力に基づいて、設定値「１」〜「６」のうちの何れかが制御ＲＡＭ６６の設定値格納領域に格納される。
【００８３】
次に、メインＣＰＵ６４は、制御ＲＡＭ６６における指定格納領域のクリアを行う（ステップＳ３）。この処理では、制御ＲＡＭ６６の各種格納領域等に格納されたデータがクリアされる。後述の自動停止フラグのクリアもステップＳ３で行なわれる。次に、メインＣＰＵ６４は、後述するボーナス作動監視処理を行う（ステップＳ３）。この処理では、必要なボーナスゲームの作動を開始するための処理を行う。次に、メインＣＰＵ６４は、メダル受付・スタートチェック処理を行う（ステップＳ４）。この処理では、投入メダルセンサ９Ｓ等の入力のチェックに基づく投入枚数カウンタ等の更新や、スタートスイッチ３３Ｓの入力のチェックが行われる。次に、メインＣＰＵ６４は、乱数値を抽出し、乱数値格納領域に格納する（ステップＳ５）。この処理では、乱数発生器６９とサンプリング回路７０によって乱数値を抽出し、制御ＲＡＭ６６の乱数値格納領域に格納する。
【００８４】
次に、メインＣＰＵ６４は、後述する内部抽籤処理を行う（ステップＳ６）。この処理では、抽籤により内部当籤役が決定される。次に、メインＣＰＵ６４は、スタートコマンドを制御ＲＡＭ６６内の通信データ格納領域にセットする（ステップＳ７）。スタートコマンドには、内部当籤役や遊技状態などのデータが含まれている。
【００８５】
次に、メインＣＰＵ６４は、メインリール２，３，４の回転開始を報知するリール回転開始コマンドをセットし（ステップＳ８）、全リールの回転開始を要求する（ステップＳ９）。なお、全リールの回転開始が要求されると、後述する割込処理においてメインリール２，３，４の回転を開始する処理が行われる。
【００８６】
次に、メインＣＰＵ６４は、自動停止カウンタに３２２００の値をセットする（ステップＳ１０）。自動停止カウンタは、開始操作により全リールが回転開始してから（ステップＳ９）、リールの自動停止を行なうまでの時間を管理するカウンタである。この自動停止カウンタは後述のとおり１．１１７３ｍｓごとに１ずつ減算されるダウンカウンタであり、約３分で値が０となってリールの自動停止を行なわれることになる。
【００８７】
次に、メインＣＰＵ６４は、後述するリール停止制御処理を行う（ステップＳ１１）。この処理では、全てのメインリール２，３，４の回転を停止する処理が行われる。
【００８８】
次に、メインＣＰＵ６４は、図柄組合せテーブル（図１１）を参照し、所定の有効ラインに沿って表示される図柄の組合せに基づいて表示役等を決定する処理を行う（ステップＳ１２）。この処理では、図柄組合せテーブルに規定されている図柄の組合せとメインリール２，３，４の図柄表示領域に表示される図柄の組合せ（有効ラインのいずれかに沿って並ぶ３個の図柄の組合せ）とが比較され、一致するか否かが判別される。そして、一致するときには、該当する表示役及びメダルの払出枚数が決定され、各表示役格納領域及び払出枚数カウンタが更新される。また、一致しないときには、各表示役格納領域に格納されるデータが「０」となり、表示役はハズレとなる。このようにして、停止制御により全てのリールの回転が停止されると、メインリール２，３，４の図柄表示領域に表示される図柄の組合せに基づいて、入賞か否かが決定され、遊技者に対して特典の付与が行われる。
【００８９】
次に、メインＣＰＵ６４は、表示コマンドを制御ＲＡＭ６６内の通信データ格納領域にセットする（ステップＳ１３）。表示コマンドには、メインリール２，３，４が全て停止したときに送信され、決定された表示役などのデータが含まれている。
【００９０】
次に、メインＣＰＵ６４は、メダル払出処理を行う（ステップＳ１４）。この処理では、払出枚数カウンタに基づいて、ホッパー７２の制御やクレジットカウンタの更新が行われる。次に、メインＣＰＵ６４は、払出枚数に基づいて、ボーナス終了枚数カウンタを更新する（ステップＳ１５）。この処理では、ボーナス終了枚数カウンタが１以上であることを条件に、当該カウンタから払出枚数に応じた値が減算される。
【００９１】
次に、メインＣＰＵ６４は、ＢＢ又はＭＢ作動中フラグがオンであるか否かを判別する（ステップＳ１６）。メインＣＰＵ６４は、ＢＢ又はＭＢ作動中フラグがオンであると判別したときには、後述するボーナス終了チェック処理を行う（ステップＳ１７）。この処理では、ボーナスゲームの作動時に制御ＲＡＭ６６に格納される各種カウンタが０に更新されたか否かの判別に基づいて、ボーナスゲームの作動を終了する処理が行われる。メインＣＰＵ６４は、ＢＢ及びＭＢ作動中フラグがオフであったときは、後述するＲＴ遊技数制御処理を行う（ステップＳ１８）。この処理では、ＲＴの遊技数を管理する。そして、ステップＳ１７又はＳ１８の後、後述するボーナス作動チェック処理を行う（ステップＳ１９）。この処理では、決定された表示役の種別に基づいて、ボーナスの作動を開始する処理が行われる。そして、以上の処理の後、ステップＳ２に戻る。
【００９２】
次に、図１８を参照して、ボーナス作動監視処理（ステップＳ３）について説明する。
【００９３】
まず、メインＣＰＵ６４は、ＢＢ作動中フラグがオンで、ＢＢが作動中であるか否かを判断し（ステップＳ４１）、ＢＢ作動中フラグがオンのときは、ＲＢ作動中フラグがオンで、ＲＢが作動中であるか否かを判断する（ステップＳ４２）。ＲＢ作動中フラグがオフで、ＲＢが作動中でないときは、ボーナス作動時テーブル（図１３）に基づいてＲＢ作動時処理を行う（ステップＳ４３）。ＲＢ作動時処理では、ＲＢ作動中フラグをオンにセットする等の処理を行う。
【００９４】
また、ＢＢ作動中フラグがオフで、ＢＢが作動中でないときは（ステップＳ４１のＮ）、ＭＢ作動中フラグがオンで、ＭＢが作動中であるか否かを判断する（ステップＳ４４）。ＭＢ作動中フラグがオンで、ＭＢが作動中であるときは、ＣＢ作動中フラグをオンにする（ステップＳ４５）。このように、ＣＢはＭＢ中に動作する。
【００９５】
次に、図１９を参照して、内部抽籤処理（ステップＳ６）について説明する。
【００９６】
まず、メインＣＰＵ６４は、前述の内部抽籤テーブル決定テーブル（図５）に基づいて、現在の遊技状態により内部抽籤テーブルの種別と抽籤回数を決定する（ステップＳ６１）。そして、使用する内部抽籤テーブルをステップＳ６１で決定した内部抽籤テーブルに変更する処理を行う（ステップＳ６２）。次に、メインＣＰＵ６４は、乱数値格納領域に格納されている抽出された乱数値（ステップＳ６で格納）を判定用乱数値としてセットし、当籤番号の初期値として１をセットする（ステップＳ６３）。
【００９７】
そして、内部抽籤テーブル（図６、図７又は図８）を参照して、当籤番号に基づいた抽籤値を取得する（ステップＳ６４）。そして、判定用乱数値から当該抽籤値を減算し、この減算により桁かりが行われたか否かを判断する（ステップＳ６５）。桁かりが行われたときは、その桁かりが行われた当籤番号を当籤番号として取得し、ステップＳ６９に移行する。
【００９８】
桁かりが行われなかったときは、前述の当籤番号に「１」加算し、前述の抽籤回数を「１」減算し（ステップＳ６６）、これにより抽籤回数が０になったか否かを判断する（ステップＳ６７）。抽籤回数が０になっていないときは、ステップＳ６４に戻り、再度、判定用乱数値から当該抽籤値を減算し、この減算により桁かりが行われたか否かを判断する（ステップＳ６５）。０になったときは当籤番号として０を取得する。
【００９９】
これらの処理は、桁かりが行われるか（ステップＳ６５のＹ）、抽籤回数が０になるまで（ステップＳ６７のＹ）、繰り返される。この場合、２回目以降の処理では、乱数データからの抽籤値の減算は、前回の抽籤値の減算の結果の余りから更に抽籤値を減算するものとする。よって、元の乱数データは減算が繰り返されるたびに値が小さくなる。また、以上の処理が繰り返されるたびに抽籤回数も１ずつ減少していくこととなる。
【０１００】
以上のようにして当籤番号を取得すると、取得した当籤番号に対応する小役・リプレイ用とボーナス用のデータポインタの取得を行う（ステップＳ６９，Ｓ６８）。そして、小役・リプレイ用内部当籤役決定テーブル（図９）を参照し、取得した小役・リプレイ用のデータポインタに基づいて当たり要求フラグを取得する（ステップＳ７０）。次に、内部当籤役格納領域１（図１３）に当該当たり要求フラグを格納する（ステップＳ７１）。
【０１０１】
次に、持越役格納領域（図１４）の値が０か否か、すなわち持越役が存在しないのか否かを判断する（ステップＳ７２）。そして、持越役格納領域の値が０で、持越役が存在しないときは、ステップＳ６４で取得したボーナス用のデータポインタが０か否かを判断する（ステップＳ７３）。ボーナス用のデータポインタが１以上で、ＢＢ又はＭＢに内部当籤したときは（ステップＳ７３のＮ）、ボーナス用内部当籤役決定テーブル（図１０）を参照し、ボーナス用のデータポインタに基づいて当たり要求フラグを取得し、この取得した当たり要求フラグを持越役格納領域に格納する（ステップＳ７４）。すなわち、持越役格納領域のアドレスをセットして格納する。そして、以上のとおりの処理の後、持越役格納領域と内部当籤役格納領域２との論理和を内部当籤役格納領域２に格納する（ステップＳ７５）。
【０１０２】
次に、ＣＢ作動中フラグがオンで、ＣＢが作動中であるか否かを判断する（ステップＳ７６）。ＣＢ作動中フラグがオンで、ＣＢが作動中であるときは、内部当籤役格納領域１のビット１〜３をオンにセットする（ステップＳ７９）。これにより、ＣＢが作動中であるときは、小役の角チェリー、中チェリー、ベル、スイカにはいつでも入賞することができる。
【０１０３】
すなわち、ＣＢは、１ゲームのみ実行されるボーナスゲームであり、３つのメインリールのうち左リール２についてのみ停止開始位置から０〜１コマの範囲で停止制御され、ほぼ遊技者の目押しどおりの停止制御を行うことができる。そして、ＣＢ中では、角チェリー、中チェリー、ベル、スイカの各小役について後述の内部当籤役格納領域１のビットがオンになることにより、これら角チェリー、中チェリー、ベル、スイカの各小役について重複して内部当籤するので、遊技者は左リール２の目押しにより、これらの小役に容易に入賞できる。
【０１０４】
次に、図２０を参照してリール停止制御処理（ステップＳ１１）について説明する。
【０１０５】
初めに、メインＣＰＵ６４は、有効なストップボタンが押圧操作されたか否かを判別する（ステップＳ８１）。有効なストップボタンの押圧操作がないときは、自動停止カウンタが０になって、自動停止を行なうべき時間が経過したか否かを判断する（ステップＳ８２）。自動停止カウンタが０になって自動停止を行なうべき時間が経過したときは、自動停止を実行することを示すフラグである自動停止フラグをオンにする（ステップＳ８３）。
【０１０６】
有効なストップボタンが押圧操作されたとき（ステップＳ８１のＹ）、自動停止フラグをオンにしたときは（ステップＳ８３）、該当するストップボタン２，３又は４の押圧操作を無効化する（ステップＳ８４）。そして、チェック回数として４をセットする（ステップＳ８５）。
【０１０７】
そして、自動停止フラグがオンで自動停止を行なうべきときであるか否かを判断する（ステップＳ８６）。自動停止フラグがオフでいまだ自動停止を行なうべきときではない場合は、前述の図柄カウンタに対応する図柄位置から前述のチェック回数の範囲内において、最も優先順位の高い図柄位置を検索する（ステップＳ８７）。すなわち、図柄カウンタに対応する図柄位置から引き込みうる範囲内の各図柄にも優先順位があり、ここでは最も優先順位の高い図柄位置を検索する。一方、自動停止フラグがオンで自動停止を行なうべきときである場合は、自動停止フラグをオフにした後、前述の図柄カウンタに対応する図柄位置から前述のチェック回数の範囲内において、最も優先順位の低い図柄位置を検索する（ステップＳ８８）。最も優先順位の低い図柄位置とは、「ハズレ」となる図柄組み合わせの図柄位置である。
【０１０８】
このように、図柄カウンタに対応する図柄位置からのチェック回数の範囲内において図柄位置を検索すると、この検索の結果に基づいて滑りコマ数を決定する（ステップＳ８９）。次に、メインＣＰＵ６４は、停止制御位置待ちに移行する（ステップＳ９０）。例えば、決定された滑りコマ数が「２」であり、停止開始位置が「１８」であれば、停止制御位置が「１」に決定される。そして、停止制御位置が決定されると、後述する割込処理において、当該停止制御位置に基づいて該当リールの回転を停止する処理が行われる。なお、滑りコマ数と停止制御位置は、一方が決定されれば、他方も決定される関係にあるため、等価の関係にあるといえる。そして、リールの停止がなされたことを報知するリール停止コマンドをセットし（ステップＳ９１）、押圧操作が有効なストップボタンがあるか否かを判断する（ステップＳ９２）。そして、押圧操作が有効なストップボタンがあれば、ステップＳ８１に戻る。
【０１０９】
次に、図２１を参照して、ボーナス終了チェック処理（ステップＳ１７）について説明する。
【０１１０】
初めに、メインＣＰＵ６４は、ＲＢ作動中フラグがオンで、ＲＢが作動中であるか否かを判断する（ステップＳ１０１）。ＲＢ作動中フラグがオフであるときは、ボーナス終了枚数カウンタが０か否かを判断する（ステップＳ１０２）。ボーナス終了枚数カウンタが０のときは、ＢＢの終了条件となる最大獲得メダル枚数に達している場合であるため、ＢＢを終了させるＢＢ・ＭＢ終了時処理を行う（ステップＳ１０５）。具体的には、制御ＲＡＭ６６の前述の作動中フラグ格納領域におけるＢＢ作動中フラグのオフや、ボーナス終了枚数カウンタのクリアが行われる。
【０１１１】
また、ＲＢ作動中フラグがオンで、ＲＢが作動中であるときや、ボーナス終了枚数カウンタが１以上であるときは、ＢＢが作動中であるか、ＭＢが作動中であるがＭＢの終了条件となる最大獲得メダル枚数に達していない場合である。この場合には、メインＣＰＵ６４は、入賞が成立したか否かを判別する（ステップＳ１０３）。メインＣＰＵ６４は、入賞が成立したと判別したときには、ボーナス終了枚数カウンタは０であるか否かを判別する（ステップＳ１０４）。そして、ボーナス終了枚数カウンタは０であったときは、ＢＢやＭＢを終了させるＢＢ・ＭＢ終了時処理を行う（ステップＳ１０５）。具体的には、制御ＲＡＭ６６の前述の作動中フラグ格納領域におけるＢＢ作動中フラグ等のオフや、入賞可能回数カウンタ及び遊技可能回数カウンタのクリアが行われる。そして、ＢＢ終了時であるか否かを判断し（ステップＳ１０６）、ＢＢ終了時であれば、ＲＴが作動中であることを示すＲＴ作動中フラグをオンにセットする（ステップＳ１０７）。また、ＲＴのゲーム数を管理するＲＴゲーム数カウンタの値に１００をセットする（ステップＳ１０８）。すなわち、ＲＴはＢＢのボーナスゲームの終了時に開始し、１００ゲーム継続することになる。また、ＢＢ・ＭＢ終了時処理（ステップＳ１０５）を行ったので、ボーナスゲームの終了を報知するボーナス終了コマンドを制御ＲＡＭ６６内の通信データ格納領域にセットする（ステップＳ１０９）。
【０１１２】
一方、ボーナス終了枚数カウンタは０でなかったときは（ステップＳ１０４のＮ）、入賞可能回数カウンタを１減算する（ステップＳ１１０）。そして、入賞可能回数カウンタは０であるか否かを判別する（ステップＳ１１１）。入賞可能回数カウンタは０であるときは、ＲＢ終了時処理を行ない（ステップＳ１１４）、ＲＢを終了させる。
【０１１３】
また、入賞可能回数カウンタは０でないとき（ステップＳ１１１のＮ）、あるいは、入賞が成立しなかったときは（ステップＳ１０３のＮ）、遊技可能回数カウンタを１減算し（ステップＳ１１２）、入賞可能回数カウンタが０であれば（ステップＳ１１３のＹ）、ＲＢ終了時処理を行ない（ステップＳ１１４）、ＲＢを終了させる。
【０１１４】
次に、図２２を参照して、ＲＴ遊技数制御処理（ステップＳ１８）について説明する。
【０１１５】
まず、メインＣＰＵ６４は、ＲＴ作動中フラグはオンで、ＲＴが作動中であるか否かを判断する（ステップＳ１３１）。ＲＴ作動中フラグはオンで、ＲＴが作動中であるときはＲＴのゲーム数を管理するカウンタであるＲＴゲーム数管理カウンタの値から１減算する（ステップＳ１３２）。これはＲＴを１ゲーム消化したからである。そして、ＲＴゲーム数カウンタの値が０になったか否かを判断する（ステップＳ１３３）。前述のとおり、ＲＴは原則として１００ゲーム継続するので（ステップＳ１０８）、ＲＴを１００ゲーム消化してＲＴゲーム数カウンタの値が０になったときは、ＲＴが作動中であることを示すＲＴ作動中フラグをオフにセットし（ステップＳ１３４）、ＲＴを終了させる。
【０１１６】
次に、図２３を参照して、ボーナス作動チェック処理（ステップＳ１９）について説明する。
【０１１７】
初めに、メインＣＰＵ６４は、表示役はＭＢであるか否かを判別する（ステップＳ１５１）。メインＣＰＵ６４は、表示役はＭＢであると判別したときには、ボーナス作動時テーブル（図１２）に基づいてＭＢ作動時処理を行う（ステップＳ１５２）。
【０１１８】
メインＣＰＵ６４は、表示役がＭＢでないときは、表示役がＢＢであるか否かを判別する（ステップＳ１５３）。メインＣＰＵ６４は、表示役はＢＢであると判別したときには、ボーナス作動時テーブル（図１２）に基づいてＢＢ作動時処理を行う（ステップＳ１５４）。また、ＢＢが作動するので持越役格納領域の値をクリアする（ステップＳ１５５）。さらに、ＲＴ作動中フラグはオフにセットする（ステップＳ１５６）。すなわち、ＢＢの入賞はＲＴの終了条件となる。そのうえ、ボーナスゲームの開始を報知するボーナス開始コマンドを制御ＲＡＭ６６内の通信データ格納領域にセットする（ステップＳ１５７）。
【０１１９】
一方、表示役がＢＢでないときは、表示役がリプレイであるか否かを判断し（ステップＳ１５８）、表示役がリプレイであるときは、投入枚数カウンタの値を自動投入カウンタに複写する（ステップＳ１５９）。投入枚数カウンタはメダルの投入枚数を管理するカウンタであり、自動投入カウンタはメダルを自動投入する枚数を管理するカウンタである。これにより、次のゲームではメダルを投入することなく遊技を行うことができる。
【０１２０】
次に、図２４を参照して、主制御基板６１のメインＣＰＵ６４の制御により行われる、１．１１７３ｍｓ周期の割込処理について説明する。
【０１２１】
初めに、メインＣＰＵ６４は、レジスタの退避を行う（ステップＳ１８１）。次に、メインＣＰＵ６４は、入力ポートチェック処理を行う（ステップＳ１８２）。具体的には、メインＣＰＵ６４は、各スイッチなどからの信号の入力などをチェックする。次に、メインＣＰＵ６４は、入力状態コマンドの設定処理を行う（ステップＳ１８３）。入力状態コマンドは、スタートレバー３３、ストップボタン３４，３５，３６の入力状態を副制御基板６２に報知するコマンドであり、ここでは、スタートレバー３３、ストップボタン３４，３５，３６の入力のチェックを行なって、入力状態コマンドをセットする。次に、メインＣＰＵ６４は、通信データ送信処理を行う（ステップＳ１８４）。具体的には、前述のとおり制御ＲＡＭ６６内の通信データ格納領域にセットされた各種コマンドは当該処理により副制御基板６２に送信される。
【０１２２】
次に、メインＣＰＵ６４は、リール制御処理を行う（ステップＳ１８５）。具体的には、リールの回転開始要求がされた場合であれば、メインリール２，３，４の回転が開始され、一定速度での回転が行われる。また、停止制御位置が決定された場合であれば、該当リールの図柄カウンタが停止制御位置と同一の値に更新されるのを待って、その回転の減速及び停止が行われる。例えば、図柄カウンタが「０」であり、停止制御位置が「４」であれば、図柄カウンタが「４」に更新されたときにリールの回転が停止される。
【０１２３】
次に、メインＣＰＵ６４は、ステップＳ１０で初期値セットした自動停止カウンタの値が０になっているか否かを判断する（ステップＳ１８６）。自動停止カウンタの値が０になっていないときは、１減算するように自動停止カウンタの値を更新する（ステップＳ１８７）。すなわち、自動停止カウンタの初期値は３２２２００であり、割り込み処理は１．１１７３ｍｓごとに行なわれるので、自動停止カウンタはリールの回転開始から約３分で０になることになる。
【０１２４】
次に、メインＣＰＵ６４は、ランプ・７ＳＥＧ駆動処理を行う（ステップＳ１９０）。具体的には、メインＣＰＵ６４は、投入枚数カウンタに基づくベットランプ９ａ、９ｂ、９ｃの点灯や、情報表示部１８への払出枚数の表示などの処理を行う。次に、メインＣＰＵ６４は、タイマの管理処理（ステップＳ１９１）、レジスタの復帰を行う（ステップＳ１９２）。この処理が終了すると、１．１１７３ｍｓ周期の割込処理を終了する。
【０１２５】
［副制御基板で使用するテーブルについて］
図２５は、サブリール５，６，７の図柄配置テーブルの説明図である。
【０１２６】
図柄配置テーブルは、ＲＯＭ８３に格納されている。図柄配置テーブルには、リールインデックスが検出されたときに、各図柄表示領域の中段に位置する図柄を図柄位置「０」として、メインリール２，３，４の場合と同様にサブリール５，６，７（左リール５、中リール６、右リール７）図柄カウンタと対応する図柄位置「０」〜「２０」と、各図柄位置に対応する図柄の種別とが規定されている。各図柄の種別は、１バイトのデータにより表される。従って、図柄配置テーブルと図柄カウンタとに基づいて、各リールの図柄表示領域の中段に位置する図柄や、これに隣接する図柄なども特定可能となる。なお、サブリール５，６，７の図柄を装飾図柄と称している。
【０１２７】
図２６は、メインリール２，３，４の特別図柄とサブリール５，６，７の装飾図柄との対比表であり、当該データはＲＯＭ８３に格納されている。すなわち、変動表示が停止制御されたときにサブリール５，６，７にどのような図柄位置で停止したかの情報はリール停止コマンドにより主制御基板６１から副制御基板６２に送信される。そして、各メインリール２，３，４の停止図柄位置により各サブリール５，６，７の停止図柄位置が決定される。図２６は、この両者の対応関係を示しており、メインリール２，３，４の図柄の組み合わせとサブリール５，６，７の図柄の組み合わせとが１対１で対応している。例えば、左リール２にチェリーの図柄、中リール３にＡＮＹの図柄、左リール４にＡＮＹの図柄がそれぞれ表示されると、左リール５にチェリーの図柄、中リール６にＡＮＹの図柄、左リール４にＡＮＹの図柄がそれぞれ表示される。よって、主制御基板６１から後述のとおりコマンドで報知されたメインリール２，３，４の各停止図柄の組み合わせに応じて、図２６の対比表を参照することにより、サブリール５，６，７の停止図柄の組み合わせを決定することができる。なお、図２６に図示するものは、特別図柄と装飾図柄の対応関係の一部の例のみである。
【０１２８】
［副制御回路の制御動作について］
次に、図２７以下に示すフローチャートを参照して、副制御基板６２が行う制御について説明する。
【０１２９】
以下で説明する処理において、処理を実行するＯＳ（オペレーティングシステム）としては、マルチスレッド・マルチタスク・オペレーティングシステムを採用している。すなわち、あるタスクグループと、別のタスクグループとが、実行権をプリエンプション（横取り）しながら処理を実行する。
【０１３０】
図２７は、遊技機１の電源投入の際に実行する処理を説明するフローチャートである。
【０１３１】
遊技機１の電源が投入されると、サブＣＰＵ８２は、初期化処理を行う（ステップＳ３０１）。具体的には、制御ＲＡＭ８４のエラーチェック、タスクシステムの初期化などを行う。次に、サブＣＰＵ８２は、後述するランプ制御タスク起動（ステップＳ３０２）、後述するサウンド制御タスク起動（ステップＳ３０３）、後述するサブリール制御タスク起動（ステップＳ３０４）を行う。これらは、タイマによりある時間が経過するごとに割り込み処理を行うタイマ割り込み同期のタスクグループである。次に、サブＣＰＵ８２は、後述する主基板通信タスク起動を行う（ステップＳ３０５）。これはコマンドを主制御基板６１から受信したときに割り込み処理を行うコマンド受信割込のタスクグループである。
【０１３２】
図２８のフローチャートを参照して、ステップＳ３０２で起動されたランプ制御タスクについて説明する。
【０１３３】
サブＣＰＵ８２は、まず、リールバックランプ４７ａ〜４７ｃ、リールバックランプ４８ａ〜４８ｃなどのランプ関連のデータについて所定の初期化処理を行う（ステップＳ３２１）。次に、サブＣＰＵ８２は、２ｍｓのイベント待ちを行なう（ステップＳ３２２）。すなわち、２ｍｓ割込イベントメッセージを受け取るまで、他のタスクが実行される。次に、サブＣＰＵ８２は、タイマ割り込み同期のタスクグループの次のタスクを実行する（ステップＳ３２３）。すなわち、ここでは後述するサウンド制御タスクを実行する。
【０１３４】
このように、サウンド制御タスクにジャンプし、当該サウンド制御タスクを実行後にランプ制御タスクに戻ってきたときは、ランプデータをランプ格納領域から取り出す処理（ステップＳ３２４）からランプ制御タスクを再開する。ランプデータは、リールバックランプ４７ａ〜４７ｃ、リールバックランプ４８ａ〜４８ｃなどのランプを演出として点灯駆動するための演出データであり、ランプ格納領域は、ＲＯＭ８３に存在する。そして、取り出したランプデータの解析を行なって（ステップＳ３２５）、各ランプを演出のために点灯するランプ点灯制御処理を行なう（ステップＳ３２６）。
【０１３５】
図２９のフローチャートを参照して、ステップＳ３０３で起動されたサウンド制御タスクについて説明する。
【０１３６】
サブＣＰＵ８２は、まず、スピーカ５４，９６，９６から出音するサウンド関連のデータについて所定の初期化処理を行う（ステップＳ３５１）。次に、サブＣＰＵ８２は、タイマ割り込み同期のタスクグループの次のタスクを実行する（ステップＳ３５２）。具体的には、後述するサブリール制御タスクを実行することになる。このようにサブリール制御タスクにジャンプして後、当該サブリール制御タスクを実行後にサウンド制御タスクに戻ってきたときは、サウンドデータをランプ格納領域から取り出す処理（ステップＳ３５３）からサウンド制御タスクを再開する。サウンドデータは、スピーカ５４，９６，９６から出音するための演出データであり、サウンド格納領域は、ＲＯＭ８３に存在する（現実の音声データは音源ＩＣ９１に存在）。そして、取り出したサウンドデータの解析を行なって（ステップＳ３５４）、スピーカ５４，９６，９６から出音する音出力制御処理を行なう（ステップＳ３５５）。
【０１３７】
図３０のフローチャートを参照して、ステップＳ３０４で起動されたサブリール制御タスクについて説明する。
【０１３８】
サブＣＰＵ８２は、まず、サブリール５〜７の関連のデータについて所定の初期化処理を行う（ステップＳ３７１）。次に、サブＣＰＵ８２は、タイマ割り込み処理のタスクグループの次のタスクを実行する（ステップＳ３７２）。すなわち、次のランプ制御タスクを実行する（図２８）。
【０１３９】
ステップＳ３７２からランプ制御タスクにジャンプして当該ランプ制御タスクを実行後にサブリール制御タスクに戻ってきたときは、サブＣＰＵ８２は、特別演出制御フラグはオンか否かを判断する（ステップＳ３７３）。特別演出制御フラグは、詳細に後述する特別演出を実行することを示すフラグである。そして、特別演出タイマを更新する（１だけ減算する）（ステップＳ３７４）。特別演出タイマは、特別演出を実行するまでの待ち時間を管理するカウンタである。次に、サブＣＰＵ８２は、特別演出タイマの値が０か否かを判断する（ステップＳ３７５）。特別演出タイマの値が０のときは、特別演出を実行するまでの待ち時間が経過しているので、特別演出制御フラグをオンにして（ステップＳ３７６）、特別演出の実行を宣言する。そして、特別演出に対応する演出リールデータをセットする（ステップＳ３７７）。演出リールデータは、サブリール５，６，７の駆動により行なわれる演出を実行するため演出データであり、ステッピングモータ１０１の制御データである。
【０１４０】
特別演出制御フラグがオンで特別演出を行うべきとき（ステップＳ３７３のＹ）、特別演出タイマが０になっておらず特別演出を行うまでの待ち時間が経過していないとき（ステップＳ３７５のＮ）、特別演出に対応する演出リールデータをセットしたときは（ステップＳ３７７）、それぞれサブリール５，６，７の演出リールデータをＲＯＭ８３の演出リール格納領域から取り出す（ステップＳ３７８）。すなわち、特別演出を行うべきときは（ステップＳ３７３のＹ，Ｓ３７７）、特別演出のための演出リールデータを取り出し、そうでないときはそれぞれ必要な演出リールデータを取り出す。そして、取り出したサブリールの演出データの解析を行なって（ステップＳ３７９）、サブリール５〜７を演出のために回転駆動するサブリール制御処理を行なう（ステップＳ３８０）。
【０１４１】
図３１のフローチャートを参照して、ステップＳ３０５で起動された主基板通信タスクについて説明する。
【０１４２】
サブＣＰＵ８２は、まず、主制御基板６１から送信されるコマンドを受信する送信メッセージキューを初期化する（ステップＳ３９１）。そして、送信メッセージキューに受信されているコマンドがあるか否かをチェックし（ステップＳ３９２）、前回と異なるコマンドを受信したか否かを判断する（ステップＳ３９３）。そして、前回と異なるコマンドを受信しているときは、当該コマンドから遊技情報を作成する（ステップＳ３９４）。具体的には、当該コマンドのパラメータから遊技情報を作成する。例えば、リール停止コマンドであれば、当該メインリール２，３又は４が第１停止、第２停止、第３停止のいずれであるのか、停止制御位置が「０」〜「１８」の何れの位置であるのか、さらには滑りコマ数がいくつであったのかという遊技情報が作成される。そして、当該遊技情報を制御ＲＡＭ８４のゲームデータ記憶領域に格納し（ステップＳ３９５）、後述の受信コマンド解析処理を行って（ステップＳ３９６）、ステップＳ３９２に戻る。受信コマンド解析処理は受信したコマンドの解析を行う処理である。
【０１４３】
図３２のフローチャートを参照して、受信コマンド解析処理（ステップＳ３９６）について説明する。
【０１４４】
まず、サブＣＰＵ８２は、スタートコマンド受信時であるか否かを判断し（ステップＳ４１１）、スタートコマンド受信時であるときは後述するスタートコマンド受信時処理を行う（ステップＳ４１２）。スタートコマンド受信時でないときは、リール回転開始コマンド受信時であるか否かを判断し（ステップＳ４１３）、リール回転開始コマンド受信時であるときはリール回転開始コマンド受信時処理を行う（ステップＳ４１４）。リール回転開始コマンド受信時処理では、サブリール５〜７の回転を開始するためにサブリール５〜７の回転開始時に使用するサブリールの演出リールデータを登録する。リール回転開始コマンド受信時でもないときは、リール停止コマンド受信時であるか否かを判断し（ステップＳ４１５）、リール停止コマンド受信時であるときは後述するリール停止コマンド受信時処理を行う（ステップＳ４１６）。リール停止コマンド受信時処理では、サブリール５〜７の停止制御位置の決定などを行う。リール停止コマンド受信時でもないときは、表示コマンド受信時であるか否かを判断し（ステップＳ４１７）、表示コマンド受信時であるときは所定の表示コマンド受信時処理を行う（ステップＳ４１８）。前述の特別演出タイマのリセットや、特別演出制御フラグのオフも表示コマンド受信時処理で行なう。
【０１４５】
表示コマンド受信時でもないときは、ボーナス開始コマンド受信時であるか否かを判断し（ステップＳ４１９）、ボーナス開始コマンド受信時であるときは所定のボーナス開始コマンド受信時処理を行う（ステップＳ４２０）。ボーナス開始コマンド受信時でもないときは、ボーナス終了時コマンド受信時であるか否かを判断し（ステップＳ４２１）、ボーナス終了時コマンド受信時であるときは所定のボーナス終了時コマンド受信時処理を行う（ステップＳ４２２）。ボーナス終了時コマンド受信時でもないときは、入力状態コマンド受信時であるか否かを判断し（ステップＳ４２３）、入力状態コマンド受信時であるときは所定の入力状態コマンド受信時処理を行う（ステップＳ４２４）。入力状態コマンド受信時処理では、特別演出におけるサブリール５〜７の変動及び停止の制御などを行う。入力状態コマンド受信時でもないときは、その他の受信したコマンドに対応する処理を実行する（ステップＳ４２５）。
【０１４６】
図３３のフローチャートを参照して、スタートコマンド受信時処理（ステップＳ４１２）について説明する。
【０１４７】
まず、サブＣＰＵ８２は、各種遊技数カウンタ更新処理を行う（ステップＳ４４１）。次に、特別演出タイマに３００００の値をセットする（ステップＳ４４２）。特別演出タイマは２ｍｓごとに１だけ減算されるので、特別演出タイマの値はスタートコマンドを受信してから１分で０となり、特別演出が実行されることとなる。
【０１４８】
次に、サブＣＰＵ８２は、演出番号抽籤処理を行う（ステップＳ４４３）。ここでは、スタートコマンドで報知された内部当籤役の遊技情報に基づいて演出データを特定するための演出番号を所定の抽籤により決定する。次に、サブＣＰＵ８２は、サブリール停止態様決定処理を行う（ステップＳ４４４）。ここでは、サブリール５〜７を停止制御するための停止テーブルを決定する。これにより、サブリール５〜７をどのような位置で停止するかが決定される。次に、サブＣＰＵ８２は、サウンド・バックランプ用演出データの決定処理を行なう（ステップＳ４４５）。ここでは、決定された演出番号に基づいてサウンドデータ、ランプデータの各演出データを決定する。次に、サブＣＰＵ８２は、登録されている演出番号に基づいて、スタートレバー３３の押下による開始操作時の演出データを登録する（ステップＳ４４６）。
【０１４９】
図３４のフローチャートを参照して、リール停止コマンド受信時処理（ステップＳ４１６）について説明する。
【０１５０】
リール停止コマンドは、そのパラメータにより、停止したのがメインリール２〜４のいずれであるか、停止したメインリール２，３又は４の停止した図柄位置は「０」〜「１８」の何れであるか、滑りコマ数は０〜３のうちのいくつであるかの他に、自動停止フラグが成立したか（オンか）否かなども副制御基板６２に報知する。
【０１５１】
サブＣＰＵ８２は、自動停止フラグが成立したか否かを判断する（ステップＳ５０１）。自動停止フラグが成立して、自動停止を行なう場合であるときは、ボーナスが成立しているか（ステップＳ５０２）、すなわち持越役が存在するか否かを判断する。内部当籤役はスタートコマンドにより報知され、表示役は表示コマンドにより報知されるので、これにより持越役の有無を判断することができる。
【０１５２】
ボーナスが成立しているときは、ボーナス成立時のハズレ用停止テーブルをサブリール５〜７の停止制御に使用する停止テーブルとして決定する（ステップＳ５０３）。このハズレ用停止テーブルは、ハズレとなる図柄の組み合わせを停止させるための停止テーブルであるが、このハズレとなる図柄の組み合わせはリーチ目となっており、持越役が存在することを遊技者に報知する。
【０１５３】
ボーナスが成立していないときは、ボーナス非成立時のハズレ用停止テーブルをサブリール５〜７の停止制御に使用する停止テーブルとして決定する（ステップＳ５０４）。このハズレ用停止テーブルは、ハズレとなる図柄の組み合わせを停止させるための停止テーブルであるが、前述のようなリーチ目は表示しない。
【０１５４】
このように、自動停止フラグが成立しているときは、ボーナスの成立、非成立に応じて停止テーブルを決定し、この決定したハズレ用停止テーブルとリール停止コマンドの受信時期とに基づいて、サブリール５〜７の停止制御位置を決定する（ステップＳ５０５）。これにより、自動停止を行なう場合のサブリール５〜７の出目が決定する。
【０１５５】
一方、自動停止フラグが成立しておらず（ステップＳ５０１のＮ）、自動停止を行なうべき時期になっていないときは、スタートコマンドで報知される内部当籤役に基づく停止テーブルと、リール停止コマンドの受信時期とに基づいて、サブリール５〜７の停止制御位置を決定する（ステップＳ５０６）。ここでは、サブリール用停止態様決定処理（ステップＳ４４４）において決定された内部当籤役に基づく停止テーブルにより、遊技者の停止操作に応じたサブリール５〜７の出目を決定する。
【０１５６】
そして、以上のように決定されたサブリール５〜７の停止制御位置に対応する演出データ（ランプデータ、サウンドデータ、演出リールデータ）を決定する（ステップＳ５０７）。
【０１５７】
ここで、図３５〜図３７を参照して、前述した特別演出におけるサブリール５〜７による具体的な演出の内容について説明する。
【０１５８】
図３５、図３６の（１）〜（６）は、サブリール５〜７におけるリール表示窓部５０の装飾図柄の表示を当該順番に経時的に説明するものである。リール表示窓部５０は、メインリール２〜４のリール表示窓部３９と同様に、サブリール５〜７の装飾図柄を上段、中段、下段の３段（３つの装飾図柄の範囲）に渡って遊技者に視認できるように表示する領域であり、表示窓となる。
【０１５９】
まず、（１）には、１ゲームの開始前の停止状態のサブリール５〜７の装飾図柄の表示例を示している。この状態で遊技者がスタートレバー３３を操作すると、（２）に示すように、サブリール５〜７の変動表示が開始される（図の矢印の方向に装飾図柄が移動）。これは、リール回転開始コマンド受信時処理（ステップＳ４１４）により行われる。
【０１６０】
そして、前述のとおり、この変動表示の開始から遊技者が停止操作を行わないまま１分が経過すると、特別演出タイマの値が０となって特別演出フラグがオンとなり（ステップＳ３７５のＹ，Ｓ３７６）、特別演出が開始する（一方、遊技者が１分以内に停止操作を行ったときは、表示コマンド受信時処理（ステップＳ４１８）により特別演出タイマはリセットされ、特別演出フラグはオフにされる）。
【０１６１】
ここで行なわれる特別演出とは、（３）に示すようにサブリール５〜７を一時停止し、そこから５秒間（第２の時間）で（４）に示すようにサブリール５〜７を１コマ分変動し、次に（５）に示すようにサブリール５〜７を５秒間（第１の時間）一時停止するものである。以後、この（４）と（５）の動作は、遊技者が停止操作を行うか、自動停止を行なう３分の時間が経過するまで（図３４参照）繰り返される。
【０１６２】
この場合、（３）（５）の一時停止するときのサブリール５〜７の相対位置の一例を図３７に示している。この例では、左リール５の図柄位置２０と、中リール６の図柄位置１８と、左リール７の図柄位置０とが一直線に並ぶように停止する。特別演出におけるサブリール５〜７の一時停止は図３７の例に限定されるものではないが、リール表示窓部５０にはハズレの出目が表示されるようなサブリール５〜７の相対位置で停止する（図３７の例のサブリール５〜７の相対位置ではどの位置がリール表示窓部５０に表示されてもハズレの出目が表示される）。
【０１６３】
また、遊技者がリールの停止操作を行わずに遊技開始から３分経過すると、自動停止カウンタが０となって自動停止フラグがオンになり（ステップＳ１０，Ｓ８２，Ｓ８３，Ｓ１８６，Ｓ１８７）、メインリール２〜４、サブリール５〜７はハズレ図柄で停止する（ステップＳ８６のＹ，Ｓ８８，図３４）。このときのサブリール５〜７の停止例を（６）に示す。これにより、早期に停止制御を行わないとこのような不利益を蒙ることになる遊技者に停止制御を促して、ステッピングモータ４５，１０１の電力を節減し、また、ステッピングモータ４５，１０１の耐久性を向上させることができる。
【０１６４】
この場合のサブリール５〜７を駆動するステッピングモータ１０１の駆動力の変動について説明する。（２）に示すようにサブリール５〜７が変動を開始するときは、ステッピングモータ１０１の駆動力を大きくする。サブリール５〜７が一定速度に達すると、この速度を維持するようにサブリール５〜７に駆動力を与えてサブリール５〜７は定速で変動表示する。そして、（３）（５）の一時停止するときには、一気にステッピングモータ１０１の駆動力を全停止してサブリール５〜７を停止させてもよいし、ステッピングモータ１０１の駆動力を小さくしてサブリール５〜７の回転速度が漸次低下してサブリール５〜７を停止させてもよい。
【０１６５】
以上説明した遊技機１によれば、スタートコマンドを副制御基板６２が受信して後、１分間で特別演出タイマが０になって（ステップＳ４４２，Ｓ３７４，Ｓ３７５）、特別演出制御フラグがオンとなり、特別演出が実行される（ステップＳ３７６，Ｓ３７７）。この特別演出では、サブリール５〜７は前述のように一時停止と１駒分の変動とを繰り返す（図３５〜図３７参照）。
【０１６６】
よって、５秒間の一時停止によりステッピングモータ１０１を休止することができ、ステッピングモータ１０１の電力を節減し、また、ステッピングモータ１０１の耐久性を向上させることができる。
【０１６７】
また、この場合の一時停止ではハズレ図柄の組み合わせがリール表示窓部５０に表示されるので、早期に停止制御を行わないと不利益を蒙ることになるかのような印象を遊技者に与え、遊技者に早期の停止制御を促して、ステッピングモータ１０１の電力を節減し、また、ステッピングモータ１０１の耐久性を向上させることができる。
【０１６８】
さらに、前述のように遊技者がリールの停止操作を行わずに遊技開始から３分経過すると、自動停止によりメインリール２〜４、サブリール５〜７はハズレ図柄で停止する。
【０１６９】
なお、本実施の形態では、変動表示の開始から遊技者が停止操作を行わないまま３分が経過するとメインリール２〜４、サブリール５〜７は自動停止するようにしているが、このような自動停止を行なわず、遊技者が停止操作を行うまでサブリール５〜７が前述のような一時停止と変動とを繰り返すようにしてもよい。
【０１７０】
この場合に、遊技により望むような利益を得られなかった遊技者が停止操作を行わずにリール２〜７を回転させたまま帰宅するという嫌がらせを行なっても、サブリール５〜７の一時停止を繰返すことにより、ステッピングモータ１０１の電力を節減し、また、ステッピングモータ１０１の耐久性を向上させることができる。
【０１７１】
なお、前述のように停止と変動を繰返す制御はサブリール５〜７においてのみ行なっているが、同様の制御をメインリール２〜４についても行うようにしてよい。
【０１７２】
また、前述の例では、第１の時間と第２の時間を同じ５秒間としているが、これらの時間は異なる時間としてもよい。さらに、前述の例では一時停止後のサブリール５〜７の変動を１駒分としているが、複数駒分変動させるようにしてもよい。
【図面の簡単な説明】
【０１７３】
【図１】本発明の一実施形態である遊技機の外観を示す平面図である。
【図２】遊技機の電気的な接続を示すブロック図である。
【図３】遊技機の副制御基板の電気的な接続を示すブロック図である。
【図４】特別図柄の図柄配置テーブルの説明図である。
【図５】内部抽籤テーブル決定テーブルの説明図である。
【図６】一般遊技状態用内部抽籤テーブルの説明図である。
【図７】ＲＢ遊技状態用内部抽籤テーブルの説明図である。
【図８】ＲＴ遊技状態用内部抽籤テーブルの説明図である。
【図９】小役・リプレイ用内部当籤役決定テーブルの説明図である。
【図１０】ボーナス用内部当籤役決定テーブルの説明図である。
【図１１】図柄組み合わせテーブルの説明図である。
【図１２】ボーナス作動時テーブルの説明図である。
【図１３】内部当籤役格納領域の説明図である。
【図１４】持越役格納領域の説明図である。
【図１５】作動中フラグ格納領域の説明図である。
【図１６】メインＣＰＵの制御によるメインフローチャートである。
【図１７】メインＣＰＵの制御によるメインフローチャートである。
【図１８】ボーナス作動監視処理のフローチャートである。
【図１９】内部抽籤処理のフローチャートである。
【図２０】リール停止制御処理のフローチャートである。
【図２１】ボーナス終了チェック処理のフローチャートである。
【図２２】ＲＴ遊技数制御処理のフローチャートである。
【図２３】ボーナス作動チェック処理のフローチャートである。
【図２４】メインＣＰＵの制御による割込処理のフローチャートである。
【図２５】装飾図柄の図柄配置テーブルである。
【図２６】特別図柄と装飾図柄の対比表である。
【図２７】電源投入時に実行する処理のフローチャートである。
【図２８】ランプ制御タスクのフローチャートである。
【図２９】サウンド制御タスクのフローチャートである。
【図３０】サブリール制御タスクのフローチャートである。
【図３１】主基板通信タスクのフローチャートである。
【図３２】受信コマンド解析処理のフローチャートである。
【図３３】スタートコマンド受信時処理のフローチャートである。
【図３４】リール停止コマンド受信時処理のフローチャートである。
【図３５】特別演出について説明する説明図である。
【図３６】特別演出について説明する説明図である。
【符号の説明】
【０１７４】
１    遊技機
２    メインリール
３    メインリール
４    メインリール
５    サブリール
６    サブリール
７    サブリール
３３  スタートレバー
３４  ストップボタン
３５  ストップボタン
３６  ストップボタン
【図１】
2009195366.tif 000003
【図２】
2009195366.tif 000004
【図３】
2009195366.tif 000005
【図４】
2009195366.tif 000006
【図５】
2009195366.tif 000007
【図６】
2009195366.tif 000008
【図７】
2009195366.tif 000009
【図８】
2009195366.tif 000010
【図９】
2009195366.tif 000011
【図１０】
2009195366.tif 000012
【図１１】
2009195366.tif 000013
【図１２】
2009195366.tif 000014
【図１３】
2009195366.tif 000015
【図１４】
2009195366.tif 000016
【図１５】
2009195366.tif 000017
【図１６】
2009195366.tif 000018
【図１７】
2009195366.tif 000019
【図１８】
2009195366.tif 000020
【図１９】
2009195366.tif 000021
【図２０】
2009195366.tif 000022
【図２１】
2009195366.tif 000023
【図２２】
2009195366.tif 000024
【図２３】
2009195366.tif 000025
【図２４】
2009195366.tif 000026
【図２５】
2009195366.tif 000027
【図２６】
2009195366.tif 000028
【図２７】
2009195366.tif 000029
【図２８】
2009195366.tif 000030
【図２９】
2009195366.tif 000031
【図３０】
2009195366.tif 000032
【図３１】
2009195366.tif 000033
【図３２】
2009195366.tif 000034
【図３３】
2009195366.tif 000035
【図３４】
2009195366.tif 000036
【図３５】
2009195366.tif 000037
【図３６】
2009195366.tif 000038
【図３７】
2009195366.tif 000039
【手続補正書】
【提出日】平成20年3月10日(2008.3.10)
【手続補正１】
【補正対象書類名】明細書
【補正対象項目名】０１７３
【補正方法】変更
【補正の内容】
【０１７３】
【図１】本発明の一実施形態である遊技機の外観を示す平面図である。
【図２】遊技機の電気的な接続を示すブロック図である。
【図３】遊技機の副制御基板の電気的な接続を示すブロック図である。
【図４】特別図柄の図柄配置テーブルの説明図である。
【図５】内部抽籤テーブル決定テーブルの説明図である。
【図６】一般遊技状態用内部抽籤テーブルの説明図である。
【図７】ＲＢ遊技状態用内部抽籤テーブルの説明図である。
【図８】ＲＴ遊技状態用内部抽籤テーブルの説明図である。
【図９】小役・リプレイ用内部当籤役決定テーブルの説明図である。
【図１０】ボーナス用内部当籤役決定テーブルの説明図である。
【図１１】図柄組み合わせテーブルの説明図である。
【図１２】ボーナス作動時テーブルの説明図である。
【図１３】内部当籤役格納領域の説明図である。
【図１４】持越役格納領域の説明図である。
【図１５】作動中フラグ格納領域の説明図である。
【図１６】メインＣＰＵの制御によるメインフローチャートである。
【図１７】メインＣＰＵの制御によるメインフローチャートである。
【図１８】ボーナス作動監視処理のフローチャートである。
【図１９】内部抽籤処理のフローチャートである。
【図２０】リール停止制御処理のフローチャートである。
【図２１】ボーナス終了チェック処理のフローチャートである。
【図２２】ＲＴ遊技数制御処理のフローチャートである。
【図２３】ボーナス作動チェック処理のフローチャートである。
【図２４】メインＣＰＵの制御による割込処理のフローチャートである。
【図２５】装飾図柄の図柄配置テーブルである。
【図２６】特別図柄と装飾図柄の対比表である。
【図２７】電源投入時に実行する処理のフローチャートである。
【図２８】ランプ制御タスクのフローチャートである。
【図２９】サウンド制御タスクのフローチャートである。
【図３０】サブリール制御タスクのフローチャートである。
【図３１】主基板通信タスクのフローチャートである。
【図３２】受信コマンド解析処理のフローチャートである。
【図３３】スタートコマンド受信時処理のフローチャートである。
【図３４】リール停止コマンド受信時処理のフローチャートである。
【図３５】特別演出について説明する説明図である。
【図３６】特別演出について説明する説明図である。
【図３７】特別演出について説明する説明図である。